(57)【要約】【課題】ランドプリピットやプリグルーブの再生信号、記録マークの再生信号に影響を与えず、かつ記録条件の最適化が可能な情報記録媒体及びその情報記録媒体を用いた情報記録装置、情報記録方法、情報記録条件最適化方法を提供する。【解決手段】  この発明は、第一の波長をもつ第一のレーザー光で情報を書き込み、第一のレーザー光よりも波長の長い第二の波長をもつ第二のレーザー光により情報を読み出す情報記録媒体に信号を記録する装置５１１において、情報記録媒体に第一のレーザー光で信号の記録を実施し、制御部５１６において、第一のレーザー光で記録された信号の再生を行い記録条件の最適化の目標値を算出するための第一の評価量を測定し、第二のレーザー光で記録された信号の再生を行い再生信号の最適化のための第二の評価量を測定し、第一の評価量と第二の評価量を比較し、第二の評価量が最適となる記録条件における第一の評価量を記録条件の最適化の目標値を決定することを特徴とする。【選択図】  図８
2008217853.tif 000002
【特許請求の範囲】
【請求項１】
第一の波長をもつレーザー光で情報の書き込みを行い、第一のレーザー光よりも波長の長い第二の波長をもつレーザー光により情報の読み出しを行う情報記録媒体であって、
前記情報記録媒体は、情報が記録される記録再生層を有し、
前記記録再生層には、記録条件の最適化のを含む管理情報が予め形成されたマークによって記録されており、
前記目標値は、前記第二の波長をもつレーザー光による再生信号が最適になる記録信号を前記第一の波長をもつレーザー光で再生した場合の再生波形から算出した値を含むことを特徴とする情報記録媒体。
【請求項２】
第一の波長をもつレーザー光で情報の書き込みを行い、第一のレーザー光よりも波長の長い第二の波長をもつレーザー光により情報の読み出しを行う情報記録媒体に信号を記録する際の記録信号の最適化の目標値を決定する方法であって、
情報記録媒体に第一の波長をもつレーザー光で信号の記録を実施し、
第一の波長をもつレーザー光で記録された信号の再生を行い記録条件の最適化の目標値を算出するための第一の評価量を測定し、
第二の波長をもつレーザー光で記録された信号の再生を行い、再生信号の最適化のための第二の評価量を測定し、
第一の評価量と第二の評価量を比較し、第二の評価量が最適となる前記記録条件における第一の評価量を前記記録条件の最適化の目標値を決定する
ことを特徴とする目標値決定方法。
【請求項３】
第一の波長をもつレーザー光で情報の書き込みを行い、第一のレーザー光よりも波長の長い第二の波長をもつレーザー光により情報の読み出しを行う情報記録装置であって、
第一の波長をもつレーザー光を照射するレーザー光照射部と、
情報記録媒体からの戻り光を受光するレーザー光受光部と、
前記第一の波長をもつレーザー光の照射波形を制御する制御部と、
目標値を保持した情報記憶部とを有し、
前記情報記憶部に予め用意されている第二の波長をもつレーザー光で再生するための評価量との関係から決定された目標値と前記レーザー光照射部からの第一の波長をもつレーザー光で記録された記録信号を第一の波長を持つレーザー光で再生した再生信号から算出された評価量とを用いて、前記レーザー光照射部からのレーザー光により再生された信号が目標値に一致するように記録条件を変更することを特徴とする情報記録装置。
【請求項４】
第一の波長をもつレーザー光で書き込まれた情報を第一のレーザー光よりも波長の長い第二の波長をもつレーザー光により読み出す情報記録媒体に情報を書き込む情報記録装置であって、
第一の波長をもつレーザー光で記録された記録信号を第一の波長を持つレーザー光で再生した再生信号から算出された評価量と予め用意された第二の波長をもつレーザー光で再生するための評価量との関係から決定された目標値を用い、情報記録媒体に対して第一の波長を持つレーザー光で情報の記録と信号の再生を実施し、再生された信号が目標値に一致するように記録条件を変更することを特徴とする記録条件最適化方法。
【請求項５】
第一の波長をもつレーザー光で情報の書き込みを行い、第一のレーザー光よりも波長の長い第二の波長をもつレーザー光により情報の読み出しを行う情報記録媒体に情報を書き込みをする際の記録条件最適化方法であって、
情報の書き込み前に、
第一の波長をもつレーザー光で記録条件学習用のデータを情報記録媒体に記録し、
記録した信号を第一の波長を持つレーザー光で再生した再生信号から算出された第一の評価量と第二の波長をもつレーザー光で再生した再生信号から算出された第二の評価量を計測し、
前記第一の評価量と第二の評価量を比較し、第二の評価量が最適となる前記記録条件における第一の評価量を記録条件最適化の目標値を決定し、
情報の書き込みの際には、
第一の波長をもつレーザー光で情報の書き込みを行い、記録された信号を第一の波長をもつレーザー光で再生し、
再生された信号から前記第一の評価量を算出し、前記目標値と測定された第一の評価量の比較に基づいて記録条件を変更することを特徴とする記録条件最適化方法。
【請求項６】
第一の波長をもつレーザー光で情報の書き込みを行い、、第一のレーザー光よりも波長の長い第二の波長をもつレーザー光により情報の読み出しを行う記録媒体に情報の書き込みを行う記録装置であって、
第一の波長をもつレーザー光を照射するレーザー光照射部と、
情報記録媒体からの戻り光を受光するレーザー光受光部と、
前記第一の波長をもつレーザー光の照射波形を制御する制御部と、
目標値を保存した情報記憶部とを有し、
第一の波長をもつレーザー光で記録された記録信号を第一の波長を持つレーザー光で再生した再生信号から算出された評価量と予め用意された目標値を用い、情報記録媒体に対して第一の波長を持つレーザー光で情報の記録と信号の再生を実施し、再生された信号が目標値に一致するように記録条件を変更することを特徴とする情報記録装置。
【請求項７】
第一の波長をもつレーザー光で情報の書き込みを行い、第一のレーザー光よりも波長の長い第二の波長をもつレーザー光により情報の読み出しを行う記録媒体に情報の書き込みを行う記録装置であって、
第一の波長をもつレーザー光及び第二の波長をもつレーザー光を照射するレーザー光照射部と、
情報記録媒体からの戻り光を受光するレーザー光受光部と、
前記第一の波長をもつレーザー光の照射波形を制御する制御部と、
を有し、
情報の書き込み前に、
第一の波長をもつレーザー光で記録条件学習用のデータを情報記録媒体に記録し、
記録した信号を第一の波長を持つレーザー光で再生した再生信号から算出された第一の評価量と第二の波長をもつレーザー光で再生した再生信号から算出された第二の評価量を計測し、
前記第一の評価量と第二の評価量を比較し、第二の評価量が最適となる前記記録条件における第一の評価量を記録条件最適化の目標値を決定し、
情報の書き込みの際には、
第一の波長をもつレーザー光で情報の書き込みを行い、記録された信号を第一の波長をもつレーザー光で再生し、
再生された信号から前記第一の評価量を算出し、前記目標値と測定された第一の評価量の比較に基づいて記録条件を変更することを特徴とする情報記録装置。
【発明の詳細な説明】
【技術分野】
【０００１】
この発明は、記録可能な情報記録媒体、及びその情報記録媒体に情報を記録可能な情報記録装置、情報記録方法、目標値決定方法及び情報記録条件最適化方法に関する。
【背景技術】
【０００２】
現在市販されている記録型の光ディスクであるＤＶＤ−ＲディスクまたはＤＶＤ−ＲＷディスクは、ランドプリピットによりアドレス情報が予め記録されており、ウォブルされたプリグルーブ上に、記録マークが形成されている。
【０００３】
ランドプリピットやプリグルーブからの再生信号は、アドレス情報の再生やトラッキングサーボ信号として利用される。安定したトラッキングやアドレス情報の正確な再生のために、これらの再生信号は大きな信号となるように、ランドプリピットやプルグルーブの形状は最適化されている。
【０００４】
また、現在の光ディスク装置では、さらに安定した情報の記録を実現するために、記録パワーや記録パルスの幅といった記録条件を最適化する手法が併用されている。
【０００５】
例えば特許文献１では、光ディスクの光学位相差の検出値に基づいて、情報の記録を行うときの最適記録パワーの算出方法、即ち記録条件を最適化する例が説明されている。
【特許文献１】特開２００４−１９２６７９
【発明の開示】
【発明が解決しようとする課題】
【０００６】
しかしながら、再生専用のＤＶＤ−ＲＯＭディスクでは、エンボスピットで形成された記録マークによってアドレス情報やトラック形成されており、ランドプリピットやプリグルーブは形成されていない。従って、再生専用の光ディスク装置は、記録マークの情報を再生するのに最適化されており、ここに記録型の光ディスクに固有のランドプリピットやプリグルーブの再生信号が混入すると、これが雑音成分となる。この場合、たとえ記録条件が最適化された記録マークであっても、再生特性が劣化する。
【０００７】
この結果、再生専用または、記録再生用の光ディスク装置であっても、記録マークを再生している場合には、同様に、ランドプリピットやプリグルーブの再生信号が雑音となる。
【０００８】
このように、現状のＤＶＤ−ＲやＤＶＤ−ＲＷといったディスクでは、再生専用の光ディスク（ＤＶＤ−ＲＯＭ）よりも記録マークの読み取り特性が劣化するという問題がある。
【０００９】
この発明の目的は、ランドプリピットやプリグルーブの再生信号、記録マークの再生信号に影響を与えず、かつ記録条件の最適化が可能な情報記録媒体及びその情報記録媒体を用いた情報記録装置、情報記録方法、目標値決定方法及び情報記録条件最適化方法を提供することである。
【課題を解決するための手段】
【００１０】
この発明は、上記問題点に基づきなされたもので、第一の波長をもつレーザー光で情報の書き込みを行い、第一のレーザー光よりも波長の長い第二の波長をもつレーザー光により情報の読み出しを行う情報記録媒体であって、前記情報記録媒体は、情報が記録される記録再生層を有し、前記記録再生層には、記録条件の最適化のを含む管理情報が予め形成されたマークによって記録されており、前記目標値は、前記第二の波長をもつレーザー光による再生信号が最適になる記録信号を前記第一の波長をもつレーザー光で再生した場合の再生波形から算出した値を含むことを特徴とする情報記録媒体である。
【発明の効果】
【００１１】
本発明を利用することにより、１つの媒体に対して１種類の波長のレーザー光で情報の書き込みを行い、これとは異なる種類の波長のレーザー光で情報の読み出しを行う情報記録媒体に対して、安定した情報の書き込みを実施することが可能となる。
【００１２】
また、本発明の手順では、情報の書き込み前に、記録に用いるレーザー光の波長と再生に用いるレーザー光の波長が異なる２つの種類の波長のレーザーによる信号の再生と目標値の決定を行うことで、情報の書き込み時には１種類の波長による再生信号の情報のみで記録条件の最適化が可能となる。
【００１３】
さらに、記録に用いるレーザー光の波長と再生に用いるレーザー光の波長が異なる記録媒体に情報を記録する際に、２種類の波長のレーザー光を頻繁に切り替えたり、同時に照射したりすることによる記録装置の負担を大幅に軽減することが可能となる。
【発明を実施するための最良の形態】
【００１４】
以下、本発明の実施の形態について図面を参照しながら詳細に説明する。    
＜＜光ディスク構造＞＞    
本実施例における情報記録媒体内の微細構造を、図１と図２に示す。図１は、情報記録媒体の断面図、図２は情報記録媒体のグルーブ配置を上部から見た図である。図１では、図２に示したランドプリピット１０８の記載を省略している。
【００１５】
本実施例における追記形情報記録媒体内の記録層１０３の材料として有機色素系材料を使用し、前記記録層１０３に隣接してＡｇまたはＡｇ合金などの無機物から成る光記録層１０２が形成されている。
【００１６】
記録層１０３と光反射層１０２との界面では、プリグルーブ１０７やランドプリピット１０８部に段差Ｈｒの凹凸形状になっている。光反射層１０２の反対側の界面にも凹凸形状が存在するが、図１では光反射層１０２の厚みが充分厚いので光反射層１０２の中央で切断した図面を示し、反対側の界面での凹凸形状の記載を省いた。
【００１７】
今後の説明では、本実施例における追記形情報記録媒体内の記録層１０３として有機色素系材料を使用する実施例について説明するが、本発明はそれに限らず記録層１０３の材料として無機物を使用しても良い。記録層１０３の材料として無機物を使用する実施例としてカルコゲナイド系などの相変化形（相変化を利用して記録マーク１０５を形成する）記録材料を使用することもできるし、Ｔｅ−Ｃ等の直接穴を開けて記録マーク１０５を形成するタイプ、あるいは異なる種類の無機層を複数層積層し、熱による拡散により記録マーク１０５内で混合物または化合物を形成させるものであっても良い。
【００１８】
本発明の実施例の一つである記録媒体は、情報の記録のために第一の波長である６５０ｎｍより短い波長の光を用い、記録した情報の再生には第二の波長である６５０ｎｍの波長の光を用いる。従って、記録層の材料としては、６５０ｎｍより短い波長の光で記録が可能なように、６５０ｎｍより短い波長の光の吸収率が高いものが望ましい。かつ、６５０ｎｍでの記録データの再生が可能なように、記録の前後で６５０ｎｍ付近の波長に対する、屈折率もしくは反射率の変化が大きいものが望ましい。
【００１９】
情報記録媒体の基板１０１には、同心円状、またはスパイラル状にプリグルーブ１０７が形成されており、プリグルーブ１０７は、図２に示すように半径方向に蛇行している。この蛇行した形状をウォブルと呼ぶ。また、ランドの一部に、プルグルーブがはみ出したような形状が形成されており、これをランドプリピット１０８と呼ぶ。
【００２０】
図１に示した断面構造を有した本実施例における情報記録媒体の場合には、Ｐｕｓｈ−Ｐｕｌｌ法を用いたトラックずれ検出信号やランドプリピット１０８からの検出信号は、段差Ｈｒを有する記録層１０３と光反射層１０２との間の界面で反射した光の回折・干渉により得られる。
【００２１】
次に本発明の情報記録媒体の構造の特徴に付いて説明する。
【００２２】
本発明の実施例では、記録／再生装置として記録光と再生光とで使用波長を変えるとともに、波長の異なった記録光と再生光に対して良好な記録特性と再生特性を保証する情報記録媒体を提供するところに大きな特徴が有る。また更に、記録光に対してトラックずれ検出信号とランドプリピット検出信号が得られると同時に再生光に対してはプリグルーブやプリピットからの影響がほとんど出ないようなプリグルーブ形状と寸法、およびランドプリピット形状と寸法に設定するところに次なる特徴が有る。現行のＤＶＤ−ＲディスクやＤＶＤ−ＲＷディスクでは、再生光の波長として６５０±５ｎｍを前提としている。
【００２３】
本実施例における情報記録媒体では、前述したＤＶＤ−ＲディスクやＤＶＤ−ＲＷディスクとの間の再生互換性を確保するため、波長が６５０±５ｎｍの光で再生可能とする。
【００２４】
記録光に対してトラックずれ検出信号とランドプリピット検出信号が得られると同時に再生光（６５０±５ｎｍの光）に対してはプリグルーブやプリピットからの影響がほとんど出ないようなプリグルーブ寸法及びランドプリピット寸法と記録光の波長との関係について、図３を用いて説明する。
【００２５】
前述したように、Ｐｕｓｈ−Ｐｕｌｌ法を用いたトラックずれ検出信号やランドプリピット１０８からの検出信号は、記録層１０３と光反射層１０２との間の界面（図２参照）で反射した光の回折・干渉により得られる。段差がＨｒであるプリグルーブ１０７またはランドプリピット１０８とランド１０９の両方に、それぞれ波長の異なる入射光１１４が照射された場合を説明する。
【００２６】
図３（ａ）は、波長が６５０ｎｍの再生光が照射された場合を表し、プリグルーブ１０７またはランドプリピット１０８とランド１０９に対して垂直に反射される反射光１１５が段差Ｈｒにより受ける位相差をε６５０で表す。
【００２７】
図３（ｂ）は、再生光とは異なる波長λｗの記録光が照射された場合を示している。記録光による反射光１１５が段差Ｈｒにより受ける位相差をελｗとする。
【００２８】
図３（ｃ）に示すように、段差量Ｈｒが等しい場合には、λｗ  ＜  ６５０ｎｍ  の時には、  ε６５０  ＜ελｗ  の関係が成り立つ。
【００２９】
ε６５０  ＜  π  であり、ελｗ  ＜  π  の場合には、位相差εが大きい方が反射光１１５間の干渉量が大きく、大きなトラックずれ検出信号とランドプリピット検出信号が得られる。また、位相差εが小さい方が反射光１１５間の干渉が小さく、プリグルーブやプリピットからの悪影響が出にくい。そのため、本実施例では再生光の波長（６５０±５ｎｍ）に対して記録光の波長λｗを短くし（λｗ  ＜  ６５０ｎｍ）、記録光に対してトラックずれ検出信号とランドプリピット検出信号が得られると同時に再生光に対してはプリグルーブやプリピットからの影響がほとんど出ないようにしたところに大きな特徴が有る。
【００３０】
記録光に使用される波長λｗの値は、６５０ｎｍより短ければ任意の値を取ることが可能である。しかし、ＨＤ  ＤＶＤやＢＤ（Ｂｌｕ  Ｒａｙ）で、発光波長が４０５ｎｍの半導体レーザー光源が使用されているので、同様に４０５ｎｍの光源を使用することで、記録用光学ヘッドを安価に作成できる。
【００３１】
ここで、第二の波長である６５０±５ｎｍを有する再生光に対する記録層１０３内での屈折率をｎ６５０とすると、ランドプリピットの深さ（段差）と等しいプリグルーブの深さ（段差）Ｈｒが「６５０／（８・ｎ６５０）ｎｍ」の時が、最もランドプリピット検出信号とトラックずれ検出信号が大きく検出される。従って、再生時にその影響を受けない条件としては、本実施例ではプリグルーブの深さ（段差）およびランドプリピットの深さ（段差）Ｈｒがその半分の「６５０／（１６・ｎ６５０）ｎｍ」以下に設定する。また、より影響を受けない条件では、更にその半分の「６５０／（３２・ｎ６５０）ｎｍ」以下に設定することが望ましい。
【００３２】
ここで、第一の波長である記録光の波長を４０５ｎｍとすれば、記録中のプリグルーブの深さ（段差）およびランドプリピットの深さ（段差）Ｈｒは、４０５ｎｍに対して「４０５／（１０・ｎ４０５）ｎｍ（＝６５０／４０５×４０５／（１６・ｎ６５０）ｎｍ）」となり、記録時にはプリグルーブ及びランドプリピットからの信号を再生することができる。
【００３３】
＜＜光ディスクの情報エリアのレイアウト＞＞    
図４に、本発明の実施例の一つである情報記録媒体すなわち光ディスクの情報記録層のレイアウトを示す。
【００３４】
光ディスクＤ（１００１）は、中央にチャッキング用のクランプ孔１００３を有し、情報記録層（符号なし）は、図１及び図２で示したような構造になっており、さらに内周側から、リードイン領域１００５、データ領域１００７、リードアウト領域１００９に分けられている。このうち、データ領域１００７には映像情報のようなコンテンツ情報が記録される。また、リードアウト領域１００９には、サーボのオーバーランを許容するためのダミーデータが記録される。
【００３５】
図５に、リードイン領域の構成を示す。
【００３６】
リードイン領域１００５には、内周からテスト領域、管理情報保存領域、イニシャル領域、バッファー領域、コントロールデータ領域、バッファー領域が配置される。
【００３７】
テスト領域は、光ディスク装置による記録波形の最適化動作（ＯＰＣ：Optimum poert control）に用いられる領域である。管理情報保存領域は、データ領域１００７に情報を記録する際に、最適化後の記録波形や現在記録中の場所、現在のディスクの状態（未記録、記録中、ＲＯＭ互換状態）といった情報を逐次記録するための領域である。
【００３８】
イニシャル領域、バッファー領域は、いずれもサーボのオーバーランを許容するためのダミーデータが記録される。コントローデータ領域には、後述の物理フォーマット情報等の情報がプリピットもしくは記録マークによって形成される。
【００３９】
リードイン領域１００５、データ領域１００７、リードアウト領域１００９には、それぞれ、所定の振幅及び周期でウォブルされたプリグルーブ（図１及び図２における“１０７”）と、ランドプリピット（図２における“１０８”）が形成されている。
【００４０】
＜＜光ディスクに記録されたフォーマット情報＞＞    
管理情報には、光ディスクの種類識別情報や、最適記録波形設定情報、記録波形最適化の目標値などが記録されている。図６及び図７に、光ディスクに記録されたフォーマット情報を示す。
【００４１】
図６は、ランドプリピット（図２における“１０８”）によってリードイン領域（図４における“１００５”）に記録されたフォーマット情報を示している。
【００４２】
ランドプリピットによって記録された情報は、図６から明らかなように、０〜５の６つのフィールドに分けられている。
【００４３】
フィールド０には、ＥＣＣブロック単位のアドレス情報が記録されている。フィールド１には、ディスクタイプや、アプリケーションコード、物理コード、データ領域配置情報が記録されている。フィールド２及び３には、本発明の実施例の一つであるＯＰＣ目標情報と第一波長での記録波形設定情報が保存されている。フィールド４及び５には、ディスクＩＤ（識別番号）が記録されている。
【００４４】
ディスクタイプは、例えばディスクが準拠している規格書のタイプ（再生専用（ＲＯＭ）／書替え（−ＲＷ）／追記（−Ｒ））情報と、バージョン番号情報によって構成されている。
【００４５】
アプリケーションコードには、そのディスクがどのような目的で使用されるかが記録されている。例えば一般のデータを記録するためのディスクであるか、ＭＯＤ（Manufacturing On Demand）に使用されるディスクであるか、ＥＳＴ（Electric Sell Through）に使用されるかといった情報である。ここで、ＭＯＤとは、暗号化された映像コンテンツ等を小売店に対してネットワーク等で配信し、そのコンテンツを小売店内に設置された光ディスク装置で情報記録媒体に記録し、販売する形態である。また、ＥＳＴとは、暗号化された映像コンテンツ等を直接エンドユーザーに配信かつ販売し、エンドユーザーが所有している光ディスク装置内で、ユーザーが保持している情報記録媒体に記録することを許容する販売形態である。光ディスク装置は、これらのディスクタイプまたはアプリケーションコードを確認することにより、挿入されたディスクが一般のデータ記録用のディスクであるのか、ＥＳＴ用のディスクであるのかを簡単に判別でき、最適な記録波長の選択や配信されたコンテンツの記録を許可されている記録媒体であるか、そうでないかといったことを判定することができる。
【００４６】
物理コードには、記録媒体の物理的な形状及び特性を示す情報が記録されている。これは例えば、ディスクの直径や、記録トラックの間隔、記録媒体の種類、推奨記録速度、記録に用いるレーザーの波長、再生に用いるレーザーの波長等を示す情報である。データ領域配置情報にはディスクのデータ記録が可能な範囲が物理アドレス等で保存されている。
【００４７】
本発明の実施例の一つであるＯＰＣ目標情報には、本発明の実施例の一つである光ディスク装置による光ディスク（記録媒体）への情報の記録に用いられる記録用レーザーの記録波形最適化調整（ＯＰＣ：Optimum power control）に用いられるＯＰＣ目標値が保存される。ＯＰＣ目標値は、後述する手順で決定、保存される。
【００４８】
光ディスク装置は、ディスクにユーザー情報を記録する前または記録中に、このＯＰＣ目標値を参考に、記録波形の最適化の調整を行うことで、各ディスクに最適な条件で記録を行うことが可能となり、ユーザー情報記録の安定性、装置間の互換性が向上する。
【００４９】
本発明の実施例の一つである第一波長での記録波形設定情報には、記録を実施する第一の波長で最適化された記録波形の形状情報が保存されている。この形状情報は、後述する手順で決定、保存される。
【００５０】
光ディスク装置は、ディスクにユーザー情報を記録する前に、記録波形設定情報を参考に、記録波形の最適化の調整を行うことで、各ディスクに最適な条件で記録を行うことが可能となり、ユーザー情報記録の安定性、装置間の互換性が向上する。
【００５１】
ディスクＩＤ（識別番号）は、ディスクメーカー名や、ディスクの種類、記録速度、シリアル番号等によって区別された識別番号が、ＡＳＣＩＩコードによって保存される。
【００５２】
また、これらの情報は、本説明ではランドプリピットで記録されているとしたが、例えばウォブル信号を位相変調等の変調方式によって変調することによって記録しても同様の効果が得られる。
【００５３】
図７は、エンボスピットもしくは、記録マークによってコントロールデータ領域に記録された物理フォーマット情報を示している。
【００５４】
本発明の実施例の情報記録媒体では、特徴として、物理フォーマット情報（ＰＦＩ）の中に、第一波形及び第二波形のＯＰＣ目標値情報、第一波形の記録波形設定情報を含んでいる。
【００５５】
図７において、バイト位置５１２から続くアプリケーション情報から記録波形設定情報の一部、もしくは全部は、ランドプリピット情報と同一の情報となっている。
【００５６】
＜＜光ディスク装置＞＞    
図８に、本発明の実施例の一つである光ディスク装置の機能ブロック図を示す。
【００５７】
図８に示す光ディスク装置５０１は、情報の記録及び再生が可能な装置になっている。
【００５８】
光ディスク装置５０１は、ＰＵＨ（Pick Up Head，すなわち光ヘッド）５１１から出射される所定波長のレーザー光を光ディスク１００１の情報記録層に集光することで、情報の記録／再生を行っている。
【００５９】
光ディスク１００１から反射した光は、再び、ＰＵＨ５１１の光学系を通過し、内部に設けられているフォトディテクターで電気信号として検出される。
【００６０】
検出された電気信号は、プリアンプ５１４で増幅され、図示しないが、サーボ回路や、ＲＦ信号処理回路、アドレス信号処理回路等を含む信号処理回路５１５に出力される。
【００６１】
サーボ回路では、フォーカス、トラッキング、チルト等のサーボ信号が生成され、各信号が、それぞれＰＵＨ５１１の図示しないフォーカス、トラッキング、チルトアクチュエータに出力される。
【００６２】
ＲＦ信号処理回路では、検出された信号のうち、主に和信号を処理することにより、記録されているユーザー情報等の情報を再生する。この際の復調方法としては、（レベル）スライス方式やＰＲＭＬ（Pertial Response Maximum Likelyhood）方式がある。なお、ＰＲＭＬ法を用いる場合には、通常、ＭＬ復調時のエラー訂正技術も併用される。
【００６３】
アドレス信号処理回路では、検出された信号を処理することにより、光ディスク１００１上の記録位置を示す、物理アドレス情報を読み出し、制御部５１６に出力する。
【００６４】
制御部５１６は、このアドレス情報を元に、所望の位置のユーザー情報等の情報を読み出し、あるいは所望の位置にユーザー情報等の情報を記録する。なお、この際、ユーザー情報は、記録信号処理回路で光ディスク記録に適したデータに変調される。
【００６５】
データの変調には、例えば（２，１０）ＲＬＬ変調、（１，１０）ＲＬＬ変調といった変調方式が用いられる。（２，１０）ＲＬＬ変調では、データの変調に用いられた最も短い符号は３Ｔ、最も長い符号は１１Ｔとなる。加えて、シンク（Sync）検出用に、変調規則にはない１４Ｔの符号が加えられる。ここで、Ｔとは、基準のチャネルクロック間隔を示す。
【００６６】
記録再生波形発生回路５１３では、入力された符号を元にレーザー発光波形を制御するための信号を生成する。この出力信号により、ＬＤ駆動回路５１２において、所定の強度の第一波長または第二波長のレーザー光が出射されるようＰＵＨ５１１の詳述しないレーザー素子が駆動され、光ディスク１００１への情報の記録／光ディスク１００１からの情報の再生を行う。
【００６７】
さらに、本発明の光ディスク装置５０１のＰＵＨ５１１は、上述の通り、第一及び第二の２つの波長のレーザーを照射できる機能を有している。なお、第一の波長を４０５ｎｍ、第二の波長を６５０ｎｍとして説明を進める。
【００６８】
データを記録する際には、記録再生波形発生回路を通して第一の波長のレーザが照射可能なＬＤを駆動し、記録を行う。また、光ディスクからの戻り光により、ＯＰＣのための特徴量の検出、ウォブル信号の検出、ランドプリピット信号の検出を行う。
【００６９】
データ読み出しの際には、記録波形発生回路を通して第二の波長のレーザを照射可能なＬＤを駆動し、信号の再生を行う。このとき、光ディスクからの戻り光により、ＯＰＣのための特徴量の検出、信号品位情報の測定、記録データの読み出しを行う。
【００７０】
制御部５１６では、後述のＯＰＣ目標値の決定、信号品位情報の算出、最適記録波形形状の決定を実行することができる。信号の品位情報とは、読み出したデータの読み取り率であるエラーレートやエラーレートを推定することが可能なパリティエラー数、ジッタといった情報である。
【００７１】
図９に、本発明の実施例の一つである光ディスク装置のもう一つの実施例を示す。
【００７２】
この実施例では、光ディスク装置は、再生専用装置６０１と記録専用装置７０１に分かれている。再生専用装置６０１は、第二の波長の波長のレーザーを照射可能なＬＤを有しており、ＯＰＣのための特徴量の検出、信号品位情報の測定、記録データの読み出しが可能である。一方、記録専用装置７０１は、第一の波長の波長のレーザーを照射可能なＬＤを有しており、データの記録が可能である。加えて、光ディスクからの戻り光により、ＯＰＣのための特徴量の検出、ウォブル信号の検出、ランドプリピット信号の検出が可能である。
【００７３】
この実施例のシステムでは、光ディスク１００１は、データの記録、再生の際に、それぞれ記録専用装置、再生専用装置間を搬送される。
【００７４】
＜＜光ディスクからの再生信号と特徴量＞＞    
図１０及び図１１に、記録データの再生波形のアイパターンを示す。図１０は、再生波形の直接の出力を示し、図１１は、再生波形をＡＣカップリングした状態の出力を示している。図中の０レベルは光ディスクを再生していない状態での出力レベルを示している。
【００７５】
図１０（ａ）は、第二の波長のレーザーで記録データを再生したときのアイパターンである。光ディスクには、３Ｔから１４Ｔのデータが記録されている。最も信号の振幅が大きいのは１４Ｔであるため、一番レベルが低いところに発生している信号と一番レベルが高いところに発生している信号は、この１４Ｔ信号のものである。
【００７６】
ここで、１４Ｔのデータから得られる最も低い部分の信号をＩ１４Ｌｒ、高い部分の信号をＩ１４Ｈｒとする。同様に、３Ｔ信号のそれぞれの部分をＩ３Ｌｒ、Ｉ３Ｈｒ、４Ｔ信号のそれぞれの部分をＩ４Ｌｒ、Ｉ４Ｈｒとする。また、それぞれのＴのデータから得られる信号の振幅をＩ３ｒ、Ｉ４ｒ，・・・，Ｉ１４ｒと呼ぶ。
【００７７】
図１０（ｂ）は、第一の波長のレーザーで記録データを再生したときのアイパターンである。図１０（ａ）の第二の波長のレーザーを照射した場合と、光ディスクに集光されたスポットのサイズや、光の回折の状態、検出系の特性等が異なるため、第一のレーザーを照射した場合の再生信号ではその形状が異なる。
【００７８】
図１０（ｂ）の波形は、図１０（ａ）の波形に比べ、信号のレベルが全体に低く、かつ１４Ｔのデータのレベルに対しては、相対的に３Ｔのデータのレベルが高くなっている。ここで、第一のレーザーで再生したときの各Ｔのレベルをそれぞれ、Ｉ３Ｌｗ、Ｉ３Ｈｗ、Ｉ４Ｌｗ、Ｉ４Ｈｗ，・・・，Ｉ１４Ｌｗ、Ｉ１４Ｈｗ、振幅をＩ３ｗ、Ｉ４ｗ，・・・，Ｉ１４ｗと呼ぶ。
【００７９】
次に、記録波形に関する特徴量について説明を行う。
【００８０】
本発明の実施例の一つである記録波形の最適化は、再生波形からその波形の特徴量を算出し、その特徴量を評価することで最適な記録波形の形状を決定することである。本発明の実施例で使用される特徴量には、例えば、アシンメトリ（asymmetry）、変調度、３Ｔ４Ｔアシンメトリ、アシンメトリ変化量、変調度変化量といったものがある。
【００８１】
アシンメトリとは、それぞれのＴの信号の中心レベルが同じレベルにあるかどうか、を評価する指標である。第一の波長のレーザーで再生された信号のアシンメトリ（ｗ）は、以下の式で表される。    
アシンメトリ（ｗ）    
＝［（Ｉ１４Ｈｗ＋Ｉ１４Ｌｗ）−（Ｉ３Ｈｗ＋Ｉ３Ｌｗ）］／    
［２×（Ｉ１４Ｈｗ−Ｉ１４Ｌｗ）］                          ・・・（１）。
【００８２】
また、第二の波長のレーザーで再生された信号のアシンメトリ（ｒ）は、以下の式で表される。    
アシンメトリ（ｒ）    
＝［（Ｉ１４Ｈｒ＋Ｉ１４Ｌｒ）−（Ｉ３Ｈｒ＋Ｉ３Ｌｒ）］／    
［２×（Ｉ１４Ｈｒ−Ｉ１４Ｌｒ）］                          ・・・（２）。
【００８３】
これを、例えば図１０の再生波形に適応すると、図１０（ａ）の波形では、１４Ｔのデータの再生信号のレベルの中心と３Ｔ信号のレベルの中心がほぼ等しいため、アシンメトリ（ｒ）は０に近い値となる。一方で、図１０（ｂ）の波形では、１４Ｔのデータのレベルに対して、相対的に３Ｔのデータのレベルが高くなっているので、アシンメトリ（ｗ）は、マイナスの値となる。このように、アシンメトリという特徴量を用いて、再生信号の形状を評価することが可能となる。
【００８４】
さらに、アシンメトリを評価するもう一つの実施例（（１）式、（２）式との識別のため“β”を付加する）について説明する。
【００８５】
図１１（ｂ）は、第一の波長のレーザーで記録データを再生したときの再生信号をＡＣカップリングした出力波形である。ここで、信号の最大値部分のレベルと０レベルの差をＡｗ、信号の最小値部分のレベルと０レベルの差をＢｗとすると、この信号から算出されるアシンメトリ（βｗ）は、下記の式で表される。    
βｗ＝（Ａｗ＋Ｂｗ）／（Ａｗ−Ｂｗ）                          ・・・（３）。
【００８６】
同様に、図１１（ａ）は、第一の波長のレーザーで記録データを再生したときの再生信号をＡＣカップリングした出力波形である。ここで、信号の最大値部分のレベルと０レベルの差をＡｒ、信号の最小値部分のレベルと０レベルの差をＢｒとすると、この信号から算出されるアシンメトリ（βｒ）は、下記の式で表される。    
βｒ＝（Ａｒ＋Ｂｒ）／（Ａｒ−Ｂｒ）                          ・・・（４）。
【００８７】
図１１（ａ）においては、波形は、信号の上下が対象であるため、ＡＣカップルを実行した場合に０レベルの上側の部分（Ａｒ）と下側の部分（Ｂｒ）の幅が同程度となり、式（４）の結果は、ほぼ０になる。一方、図１１（ｂ）においては、波形は、信号の上下が非対称となっているため、ＡＣカップルを実行した場合には、０レベルの上側の部分（Ａｗ）と下側の部分（Ｂｗ）の幅が異なり、式（３）の結果は、マイナスとなる。このように、β（ｗ）あるいはβ（ｒ）を用いてもアシンメトリを評価することができる。
【００８８】
変調度（ｍ）は、信号の振幅を評価する指標である。
【００８９】
第一の波長のレーザーで再生された信号の変調度ｍ（ｗ）は以下の式で表される。    
変調度ｍ（ｗ）＝Ｉ１４ｗ／Ｉ１４Ｈｗ］                        ・・・（５）。
【００９０】
第二の波長のレーザーで再生された信号の変調度ｍ（ｒ）は以下の式で表される。    
変調度ｍ（ｒ）＝Ｉ１４ｒ／Ｉ１４Ｈｒ］                        ・・・（６）。
【００９１】
３Ｔ４Ｔアシンメトリは、３Ｔの信号の中心レベルと４Ｔ信号の中心レベルが同じレベルにあるかどうかを評価する指標である。第一の波長のレーザーで再生された信号の３Ｔ４Ｔアシンメトリ（ｗ）は、以下の式で表される。    
３Ｔ４Ｔアシンメトリ（ｗ）    
＝［（Ｉ４Ｈｗ＋Ｉ４Ｌｗ）−（Ｉ３Ｈｗ＋Ｉ３Ｌｗ）］／    
［２×（Ｉ１４Ｈｗ−Ｉ１４Ｌｗ）］                          ・・・（７）。
【００９２】
また、第二の波長のレーザーで再生された信号の３Ｔ４Ｔアシンメトリ（ｒ）は以下の式で表される。    
３Ｔ４Ｔアシンメトリ（ｒ）    
＝［（Ｉ４Ｈｒ＋Ｉ４Ｌｒ）−（Ｉ３Ｈｒ＋Ｉ３Ｌｒ）］／    
［２×（Ｉ１４Ｈｒ−Ｉ１４Ｌｒ）］                            ・・・（８）。
【００９３】
アシンメトリ変化量（Ｘ）とは、記録波形設定の変化に対するアシンメトリの変化量を評価する値である。
【００９４】
例えば、記録パワーＮ［ｍＷ］で記録を行った際の第一の波長のレーザーで再生された信号のアシンメトリをアシンメトリＮ（ｗ）とし、記録パワーＭ［ｍＷ］で記録を行った際の第一の波長のレーザーで再生された信号のアシンメトリをアシンメトリＭ（ｗ）とすると、第一の波長のレーザーで測定されるアシンメトリ変化量（ｗ）は、下記の式で表される。    
アシンメトリ変化量Ｘ（ｗ）    
＝（アシンメトリＭ（ｗ）−アシンメトリＮ（ｗ））／（Ｍ−Ｎ）  ・・・（９）。
【００９５】
同様に、第二の波長のレーザーで測定されるアシンメトリ変化量（ｒ）は、下記の式で表される。    
アシンメトリ変化量Ｘ（ｒ）    
＝（アシンメトリＭ（ｒ）−アシンメトリＮ（ｒ））／（Ｍ−Ｎ）  ・・・（10）。
【００９６】
変調度の変化量（変調度変化量Ｙ）も同様に評価が可能である。
【００９７】
変調度変化量Ｙは、記録パワーＮ［ｍＷ］で記録を行った際の第一の波長のレーザーで再生された信号の変調度を変調度Ｎ（ｗ）とし、記録パワーＭ［ｍＷ］で記録を行った際の第一の波長のレーザーで再生された信号の変調度を変調度Ｍ（ｗ）とすると、第一の波長のレーザーで測定される変調度変化量Ｙ（ｗ）は、例えば下記の式で表される。    
変調度変化量Ｙ（ｗ）    
＝（変調度Ｍ（ｗ）−変調度Ｎ（ｗ））／（Ｍ−Ｎ）              ・・・（11）。
【００９８】
さらに、記録パワーの違いに対する変調度変化量の値をなるべく一定にするために、下記の式で表される変調度変化量γｗを使うことも可能である。    
γｗ    
＝［（変調度Ｍ（ｗ）−変調度Ｎ（ｗ））／（Ｍ−Ｎ）］×［Ｍ／変調度Ｍ（ｗ）］    
・・・（12）。
【００９９】
同様に、第二の波長のレーザーで測定（再生）される変調度変化量γｒは、下記の式で表される。
【０１００】
γｒ    
＝［（変調度Ｍ（ｒ）−変調度Ｎ（ｒ））／（Ｍ−Ｎ）］×［Ｍ／変調度Ｍ（ｒ）］    
・・・（13）。
【０１０１】
本発明では、このような特徴量を用いることにより、正確に記録されたデータの状態を評価することが可能となる。
【０１０２】
＜＜記録波形設定方法＞＞    
図１２を用いて、本発明の実施例の一つである光ディスク装置の記録波形の設定方法について説明を行う。
【０１０３】
図１２（ａ）は、光ディスク装置が用いている基準となるクロックの信号の模式図である。また、図１２（ｂ）は、ＮＲＺＩ（Non Return to Zero Invert，“１”の位置と記録マークまたはピットのエッジ部／境界部を一致させる方法）形式に変換された状態の記録データを示している。図１２（ｃ）は、記録波形の形状を示している。図１２（ｄ）は、プリグルーブ上に記録された記録マークの形状を示す模式図である。ここで、記録波形は、１つのマークを記録するために複数のパルスを使用するように設定されている。
【０１０４】
複数のパルスのうち先頭のものをファーストパルス、最後のものをラストパルス、その間のものをマルチパルスと呼ぶ。また、ラストパルスの後に、バイアスパワー１（クーリングパルス）を出力する部分も設けられている。
【０１０５】
記録波形の形状は、レベル方向には、記録パワー、消去パワー、バイアスパワー１及びバイアスパワー２の４つのレベルで規定されている。同じく、記録波形の時間方向には、ＮＲＺＩ形式のデータの立ち上がり、及びクロック信号を基準に、ファーストパルス（１Ｔより長い）の開始時間Ｆ１、ファーストパルスの終了時間Ｆ３、ファーストパルスの間隔Ｆ２といった時間情報で規定される。また、ファーストパルスの開始時間Ｆ１やラストパルス（１Ｔより短い）の終了時間Ｌ３等、特に記録マークの形成に影響を与えやすいパラメータに関しては、ＮＲＺＩ信号のパターンに応じてそれぞれの間隔を記録中に動的変更する。これらの情報は、光ディスク装置内の詳述しないメモリで管理されるほか、図６や図７に示したフォーマット情報として情報記録媒体に保存される。
【０１０６】
＜＜情報記録媒体に保存する記録波形設定情報の決定方法＞＞    
次に、図６及び図７で示したような情報記録媒体に保存される第一の波長による記録波形設定情報の決定手順について説明を行う。
【０１０７】
図１３に、記録波形設定情報を決定するためのフローを示す。
【０１０８】
第一のステップ（Ｓｔｅｐ１−１）では、光ディスク装置の初期条件を設定する。これは、例えば、トラッキングやフォーカスといったサーボの条件や、記録波形設定情報の初期条件である。これらの条件は、これから最適な記録波形設定情報を決定しようとする情報記録媒体の物理的特性や過去の経験、メーカーからの推奨データ等から決定される。
【０１０９】
第二のステップ（Ｓｔｅｐ１−２）では、情報記録媒体に対し、第一の波長のレーザーが照射され、フォーカス、トラッキング等のサーボを駆動し、テストデータの記録が可能な状態とする。
【０１１０】
第三のステップ（Ｓｔｅｐ１−３）では、情報記録媒体に対し、設定した記録波形を用いてテストデータの記録が行われる。
【０１１１】
第四のステップ（Ｓｔｅｐ１−４）では、テストデータの記録回数が所定の回数に達したか否かを判定し、所定の回数に達していれば第六のステップ（Ｓｔｅｐ１−６）へ、所定回数に達していなければ、第五のステップ（Ｓｔｅｐ１−５）のステップへ処理を進める。
【０１１２】
第五のステップ（Ｓｔｅｐ１−５）では、記録波形の設定値、例えば記録パワーを１段階分変更する。第五のステップが終了したら、再び第三のステップに入りテストデータの記録を行う。
【０１１３】
第六のステップ（Ｓｔｅｐ１−６）では、情報記録媒体に照射するレーザーの波長を第一の波長から第二の波長に切り替えて、情報記録媒体に記録された情報を第二の波長で再生可能な状態とする。ここで、図８に示すような記録と再生が可能な装置の場合、制御部５１６によりＰＵＨ５１１から照射されるレーザーの波長を切り替えればよいし、図９に示すような再生装置と記録装置が独立している場合には、装置間を光ディスク１００１が搬送されることになる。
【０１１４】
第七のステップ（Ｓｔｅｐ１−７）では、第三のステップで記録された記録データの再生すなわち記録されているデータの再生と信号品位情報の取得（算出）を行う。この再生は、第五のステップで設定変更が実施された段階毎に行われ、それぞれの段階の記録データに対し、信号品位情報が算出される。ここで、信号品位情報とは、記録したテストデータの読み取り率を示すエラーレートや、エラーレートを推定することが可能なパリティエラー数、ジッタといった情報である。図１４に、第七のステップで測定された結果をプロットしたグラフを示す。
【０１１５】
第八のステップ（Ｓｔｅｐ１−８）では、第七のステップで算出した信号品位情報を元に、最適な記録波形の設定値を決定する。最適な設定は、図１４に示すように、測定したデータの近似曲線から最も信号品位情報の良いところに位置する記録波形設定値を読み取ることで決定することができる。ここで、例えばエラーレートやジッタといった指標は値が小さいほど信号の品位は良いことになるので、これが最小になる記録波形の設定値が最適な設定値（Ｓ＿Ｂｅｓｔ１）となる。
【０１１６】
また、設定した記録波形のロバスト性を高めたい場合には、信号品位情報の限界の閾値を決定し、その閾値を跨いだ記録波形設定の値の低いもの（Ｓ＿Ｌｏｗ）及び高いもの（Ｓ＿Ｈｉｇｈ）を読み取り、下記の式で、最適な設定値（Ｓ＿Ｂｅｓｔ２）を決定する。    
Ｓ＿Ｂｅｓｔ２＝（Ｓ＿Ｌｏｗ＋Ｓ＿Ｈｉｇｈ）／２                ・・・（14）。
【０１１７】
情報記録媒体の製造メーカーは、記録パワーや、消去パワー、ファーストパルスの開始時間やマルチパルスの間隔等の記録波形設定値に対して、この最適設定値の決定方法を用いて最適値を決定し、情報記録媒体に、図６や図７に示すような方法で、その値を保存する。
【０１１８】
また、光ディスク装置（disc drive）製造メーカーやライティングソフト（writing software）メーカーは、上記の決定方法を用いて独自に情報記録媒体の評価を行い、各光ディスク装置に最適な記録波形設定値を決定し、ドライブ（drive）のメモリに保存する。このとき、第一のステップでは、情報記録媒体に保存された製造メーカー推奨の記録波形設定値を初期条件として利用する。この処理は、光ディスク装置の出荷前に実行しても良いし、ＯＰＣ動作として情報記録媒体にユーザーデータの記録を行う前に光ディスク装置が自動的に実行することも可能である。
【０１１９】
＜＜ＯＰＣ目標値の決定方法＞＞    
次に、ＯＰＣ目標値の決定手順について説明を行う。
【０１２０】
図１５に、ＯＰＣ目標値を決定するためのフローを示す。
【０１２１】
第一のステップ（Ｓｔｅｐ２−１）では、光ディスク装置の初期条件を設定する。これは例えば、トラッキングやフォーカスといったサーボの条件や、記録波形設定情報の初期条件である。これらの条件はこれから最適な記録波形設定情報を決定しようとする情報記録媒体の物理的特性や過去の経験、メーカーからの推奨データ等から決定される。
【０１２２】
また、既に最適記録波形設定値が決定されているか、情報記録媒体に保存されている場合には、この情報を用いる。このとき、初期条件を最適値から所定量マイナスの値にしておくと、その後のステップで、設置値をプラス方向だけに変化させて、各設定値に対する特徴量、信号品位情報の測定を実施することができる。
【０１２３】
さらに、第一のステップでは、この記録波形設定値から、記録パワー、消去パワー、バイアスパワー１及び２の比率を算出することも可能である。
【０１２４】
第二のステップ（Ｓｔｅｐ２−２）では、情報記録媒体に対し、第一の波長のレーザーが照射され、フォーカス、トラッキング等のサーボを駆動し、テストデータの記録が可能な状態とする。
【０１２５】
第三のステップ（Ｓｔｅｐ２−３）では、情報記録媒体に対し、設定した記録波形を用いてテストデータの記録が行われる。
【０１２６】
第四のステップ（Ｓｔｅｐ２−４）では、第三のステップで記録したテストデータを第一の波長で再生し、再生信号の特徴量を算出する。ここで、特徴量とは、前述のアシンメトリや変調度といった量である。
【０１２７】
第五のステップ（Ｓｔｅｐ２−５）では、情報記録媒体に照射するレーザーの波長を第一の波長から第二の波長に切り替えて、情報記録媒体に記録された情報を第二の波長で再生可能な状態とする。ここで、図８に示すような記録と再生が可能な装置の場合、制御部５１６によりＰＵＨ５１１から照射されるレーザーの波長を切り替えればよいし、図９に示すような再生装置と記録装置が独立している場合には、装置間を光ディスク１００１が搬送されることになる。
【０１２８】
第六のステップ（Ｓｔｅｐ２−６）では、第三のステップで記録してテストデータを第二の波長で再生し、再生信号の特徴量と信号品位情報の算出を行う。
【０１２９】
第七のステップ（Ｓｔｅｐ２−７）では、テストデータの記録回数が所定回数に達したか否かを判定し、所定の回数に達していれば第九のステップ（Ｓｔｅｐ２−９）へ、所定回数に達していなければ第八のステップ（Ｓｔｅｐ２−８）のステップへ処理を進める。
【０１３０】
第八のステップ（Ｓｔｅｐ２−８）では、記録波形の設定値、例えば記録パワーを１段階分変更する。このとき、第一のステップで算出した各パワーの比率を固定し、記録パワーに連動してその他のパワーを同時に動かすようにすると、パワー全体の最適化を一度に行うことも可能である。
【０１３１】
第八のステップが終了したら、再び第二のステップに入り、情報記録媒体に照射するレーザーの波長を第二の波長から、第一の波長に切り替える。
【０１３２】
第九のステップ（Ｓｔｅｐ２−９）では、それまでに測定、算出した再生信号の特徴量、信号品位情報から、ＯＰＣのための目標値を決定する。
【０１３３】
図１７に、図１５における第四のステップと第六のステップで測定した結果をプロットしたグラフを示す。図１７は、上述したアシンメトリβを示し、測定された結果は、第一の波長で記録データを再生したときのアシンメトリ（βｗ）、第二の波長で記録データを再生したときのアシンメトリ（βｒ）及び信号品位情報である。また、図１７においては、アシンメトリ（βｗ）とアシンメトリ（βｒ）の測定結果から得られる近似曲線と信号品位情報の測定結果から得られる近似曲線が示されている。
【０１３４】
図１７において、第一の波長と第二の波長では情報記録媒体に集光される光のスポットの大きさ等が異なるため、アシンメトリ（βｗ）とアシンメトリ（βｒ）の近似曲線の傾きは異なっている。ここで、情報記録媒体の特性によっては、傾きの極性がアシンメトリ（βｗ）とアシンメトリ（βｒ）で反対になる場合もある。
【０１３５】
第九のステップでは、測定された信号品位情報（図１７に示した近似曲線）から最適な記録波形設定値（Ｓ＿Ｂｅｓｔ）を決定する。さらに、その条件における（βｗ）を読み取る。この値が第一の波長用ＯＰＣ目標情報βｗ＿Ｔａｒｇｅｔである。同様に、上述の条件における（βｒ）の値を読み取る。これが、第二の波長用ＯＰＣ目標情報βｒ＿Ｔａｒｇｅｔである。
【０１３６】
また、フローの特殊な例として、図１６に示すように、既に最適な記録波形設定値が決定済みの場合、第一のステップ（Ｓｔｅｐ２−１１（図１５のＳｔｅｐ２−１相当））で記録波形として最適値を設定し、第二のステップ（Ｓｔｅｐ２−１２（図１５のＳｔｅｐ２−２相当））及び第三のステップ（Ｓｔｅｐ２−１３（図１５のＳｔｅｐ２−３相当））で、情報記録媒体に対し、フォーカス、トラッキング等のサーボを駆動してテストデータを記録し、第四のステップ（Ｓｔｅｐ２−１４（図１５のＳｔｅｐ２−４相当））で、テストデータを第一の波長で再生し、再生信号の特徴量を算出したのち、第五のステップ（Ｓｔｅｐ２−１５（図１５のＳｔｅｐ２−７相当））において、テストデータの記録回数が所定回数に達したか否かを判定し、所定の回数に達していれば第六のステップ（Ｓｔｅｐ２−１６（図１５のＳｔｅｐ２−５相当））へ、所定回数に達していなければ第七のステップ（Ｓｔｅｐ２−１７（図１５のＳｔｅｐ２−８相当））へ処理を進めてもよい。
【０１３７】
第七のステップ（Ｓｔｅｐ２−１７）では、記録波形の設定値、例えば記録パワーを１段階分変更する。このとき、第一のステップで算出した各パワーの比率を固定し、記録パワーに連動してその他のパワーを同時に動かすようにすると、パワー全体の最適化を一度に行うことも可能である。第七のステップが終了したら、再び第三のステップに入り、情報記録媒体に、次のテストデータが記録され、第四のステップで、記録されたデータが再生され、第五のステップ（回数の判定）が実行される。
【０１３８】
第六のステップ（Ｓｔｅｐ２−１６）では、情報記録媒体に照射するレーザーの波長を第一の波長から第二の波長に切り替えて、情報記録媒体に記録された情報を第二の波長で再生可能な状態とする。ここで、図８に示すような記録と再生が可能な装置の場合、制御部５１６によりＰＵＨ５１１から照射されるレーザーの波長を切り替えればよいし、図９に示すような再生装置と記録装置が独立している場合には、装置間を光ディスク１００１が搬送されることになる。
【０１３９】
第六のステップにおいて、レーザーの波長が第二の波長に切り換えられると、第八のステップ（Ｓｔｅｐ２−１８（図１５のＳｔｅｐ２−８相当））において、テストデータが再生され、再生信号の特徴量と信号品位情報が算出される。
【０１４０】
第九のステップ（Ｓｔｅｐ２−１９（図１５のＳｔｅｐ２−９相当））では、それまでに測定、算出した再生信号の特徴量、信号品位情報から、ＯＰＣのための目標値を決定する。
【０１４１】
この場合、第九のステップでは一度だけ測定されたβｗおよびβｒが、それぞれβｗ＿Ｔａｒｇｅｔ，βｒ＿Ｔａｒｇｅｔとなる。
【０１４２】
図１８に、その他の実施例として、特徴量に変調度ｍと変調度変化量γを用いた場合の測定結果を示す。図１８（ａ）は、変調度ｍ（ｗ）とｍ（ｒ）の測定結果のそれぞれの近似曲線と、同時に測定した信号品位情報の測定結果の近似曲線を示している。一方、図１８（ｂ）は同時に測定した変調度（振幅）変化量γ（ｗ）とγ（ｒ）の近似曲線を示している。これらの特徴量に用いる場合、ＯＰＣ目標値は、下記の方法で決定される。
【０１４３】
まず、第一の波長及び第二の波長による特徴量測定結果の近似曲線からそれぞれ、変調度ｍの変化の傾きが大きいポイントと変調度変化量γが所定の値γ＿Ｔｈ（ｗ）及びγ＿Ｔｈ（ｒ）となる記録波形設定値Ｐ＿Ｔｈ（ｗ）及び記録波形設定値Ｐ＿Ｔｈ（ｒ）を決定する。
【０１４４】
また、記録波形設定値がＰ＿Ｔｈ（ｗ）のときの第一の波長で計測された変調度をｍ＿Ｔｈ（ｗ）、Ｐ＿Ｔｈ（ｒ）のときの第二の波長で計測された変調度をｍ＿Ｔｈ（ｒ）とする。
【０１４５】
さらに、信号品位情報の近似曲線から算出した最適記録波形設定値Ｓ＿Ｂｅｓｔとこの記録波形設定値のＰ＿Ｔｈ（ｗ）及びＰ＿Ｔｈ（ｒ）の比率ＫｗとＫｒを下記の式に基づいてそれぞれ算出する。    
Ｋｗ＝Ｓ＿Ｂｅｓｔ／Ｐ＿Ｔｈ（ｗ）                              ・・・（15）、    
Ｋｒ＝Ｓ＿Ｂｅｓｔ／Ｐ＿Ｔｈ（ｒ）                              ・・・（16）。
【０１４６】
このように算出決定された記録波形設定値Ｐ＿Ｔｈ（ｗ）、Ｐ＿Ｔｈ（ｒ）や記録波形設定値の比率Ｋｗ、Ｋｒ、変調度ｍ＿Ｔｈ（ｗ）、Ｐ＿Ｔｈ（ｒ）、変調変化量γ＿Ｔｈ（ｗ）、γ＿Ｔｈ（ｒ）の一部または全部をＯＰＣ目標情報として用いることができる。
【０１４７】
また、ＯＰＣ目標情報の決定手順として図１５のフローを用いて説明を実施したが、各ステップの順序を図１６に示すフローのように入れ替えても同様にＯＰＣ目標情報を決定することができることは既に説明した通りである。ただし、図１６に示すフローの場合、第八のステップ（Ｓｔｅｐ２−１8（図１５のＳｔｅｐ２−6相当））における記録データの再生はと特徴量と信号品位情報の算出は、第七のステップ（Ｓｔｅｐ２−１6（図１５のＳｔｅｐ２−８相当））で設定変更が実施された段階毎に行われる。即ち、第八のステップで得られる特徴量と信号品位情報は、複数の段階の記録データに対して求められることになる。
【０１４８】
情報記録媒体の製造メーカーは、決定したＯＰＣ目標情報を情報記録媒体に図６や図７に示すような方法でその値を保存する。また、光ディスク装置メーカーやライティングソフトメーカーは、上記の決定方法を用いて独自に情報記録媒体の評価を行い、各光ディスク装置に最適なＯＰＣ目標情報を決定し、ドライブのメモリに保存する。この処理は、光ディスク装置の出荷前に実行しても良いし、ＯＰＣ動作の一部であり、後段に説明するＲＯＰＣに用いるためのＯＰＣ目標値決定のために、情報記録媒体にユーザーデータの記録を行う前に、光ディスク装置が自動的に実行することも可能である。
【０１４９】
＜＜光ディスク装置による記録波形の最適化：２波長出力可能装置＞＞    
次に、本発明の実施例の一つである光ディスク装置が実行する情報記録媒体への情報の記録手順と、その際に実行される記録波形の自動最適化手順について説明を行う。
【０１５０】
図１９に、光ディスク装置が実行する情報の記録のフローを示す。
【０１５１】
第一のステップ（Ｓｔｅｐ３−１）で、光ディスク装置において、記録を行う情報記録媒体に対して記録波形の最適化（ＯＰＣ）が完了しているか否かを判定する。
【０１５２】
ＯＰＣが完了している場合、第三のステップ（Ｓｔｅｐ３−３）に移行し、ＯＰＣ動作によって決定された最適な記録波形を用いてユーザーデータ等の情報を情報記録媒体に記録する。ＯＰＣを実行していないか、ＯＰＣを実行してから時間が経過し、最新の情報がない場合、第二のステップ（Ｓｔｅｐ３−２）に移行し、ＯＰＣを実施する。ＯＰＣが完了したら、第三のステップへ移行する。ＯＰＣの詳細な手順に関しては後述する。
【０１５３】
第四のステップ（Ｓｔｅｐ３−４）では、情報の記録が開始されてから所定時間経過したか、もしくは所定の容量に達したかを判定する。記録が所定時間、もしくは所定量行われていると判定された場合、第五のステップ（Ｓｔｅｐ３−５）へ移行する。行われていないと判断された場合には第六のステップ（Ｓｔｅｐ３−６）へ移行する。
【０１５４】
第五のステップでは、ユーザーデータ等の情報記録中の記録波形の最適化動作を実施する。これは、ＲＯＰＣ（Runing Optimum Power Control）、またはＳＯＰＣ（Stop and Optimum Power Control）と呼ばれる動作である。
【０１５５】
第六のステップ（Ｓｔｅｐ３−６）では、ユーザーデータ等の情報を最後まで記録したか、否かが判定される。記録が完了していれば、処理は終了する。完了していない場合、再び第四のステップに移行する。
【０１５６】
このように本実施例の記録手順では、ユーザーデータのような情報の記録前に、ＯＰＣを実施し、また情報の記録中に、適宜、ＲＯＰＣ動作を実施する。
【０１５７】
＜＜ＯＰＣ目標値の決定方法の詳細な説明＞＞    
次に、図２０にＯＰＣ動作のフローを示す。ここではまず、光ディスク装置が図８に示すような第一の波長及び第二の波長両方の波長のレーザーの照射が可能な形態である場合について説明を行う。
【０１５８】
本実施例のＯＰＣ動作では、第一のステップ（Ｓｔｅｐ４−１）で、初期条件の設定を行う。記録波形設定値及びＯＰＣ目標値の初期条件は、情報記録媒体のランドプリピット情報、もしくは物理フォーマット情報から読み出した設定値を利用するか、光ディスクから読み出したディスクＩＤと一致する情報が光ディスク装置内のメモリ内に存在する場合には、光ディスク装置内のメモリに保存された記録波形設定値及びＯＰＣ目標値を使用する。ここで、ランドプリピット情報を読み出す場合には、第一の波長のレーザーを用い、コントロール領域内の物理フォーマット情報を読み出す場合には第二の波長のレーザーを用いる。
【０１５９】
第二のステップ（Ｓｔｅｐ４−２）では、情報記録媒体に照射するレーザーを第一の波長のレーザーに設定する。
【０１６０】
第三のステップ（Ｓｔｅｐ４−３）では、第一のステップで設定した（あるいはメモリから読み出された）初期条件を中心に、記録波形の設定を複数の段階に変化させながら、テストデータを情報記録媒体のテスト領域に所定量記録する。
【０１６１】
第四のステップ（Ｓｔｅｐ４−４）では、記録したテストデータを第三のステップで記録波形の設定を変化させた段階毎に再生し、第一の特徴量として光ディスク装置内のメモリに保存する。このとき、あわせてその段階の記録波形の設定値も保存する。
【０１６２】
次に、第五のステップ（Ｓｔｅｐ４−５）では、情報記録媒体に照射するレーザーを第二の波長のレーザーに切り替える。
【０１６３】
第六のステップ（Ｓｔｅｐ４−６）では、第三のステップで記録したテストデータを記録波形の設定を変化させた段階毎に再生し、第二の特徴量として光ディスク装置内のメモリに保存する。
【０１６４】
第七のステップ（Ｓｔｅｐ４−７）では、第一のステップで設定したＯＰＣ目標値の初期条件（あるいはメモリから読み出された）と、第四のステップ及び第六のステップで保存した複数の段階の記録波形の設定値に対応した第一の特徴量または、第二の特徴量を比較する。そして、目標値と特徴量が一致する、もしくは最も近いと判定される段階を検索し、その記録波形設定値を実際の最適記録波形設定値として決定する。また、この実際の最適記録波形設定として採用された設定値に対応した第一の特徴量または第二の特徴量は更新されたＯＰＣ目標値として採用される。この更新されたＯＰＣ目標値は、その後のＲＯＰＣ動作に用いられる。これで、ＯＰＣ動作が完了となる。
【０１６５】
引き続きユーザーデータ等の情報を情報記録媒体に記録する場合には、ここで決定された実際の最適記録波形設定値を用いる。
【０１６６】
次に、図２０を参照しながら特徴量の具体例を挙げて、上述のフローの詳細な例を説明する。ここでは、特徴量としてアシンメトリβ（ｗ）及びβ（ｒ）を、第三のステップ（Ｓｔｅｐ４−３）で変化させる記録波形設定値として、記録パワーＰｐ［ｍＷ］を用いるとする。
【０１６７】
まず、第一のステップ（Ｓｔｅｐ４−１）で、情報記録媒体から読み出した第二波長用のＯＰＣ目標値、アシンメトリβｒ＿ＴａｒｇｅｔをＯＰＣ目標値として決定し、第二のステップ（Ｓｔｅｐ４−２）及び第三のステップ（Ｓｔｅｐ４−３）において、記録パワーＰｐをＰｐ（０）からＰｐ（７）までの８段階に変化させてテストデータの記録を行う。
【０１６８】
第四のステップ（Ｓｔｅｐ４−４）では、各段階に対応した特徴量としてアシンメトリβｗ（０）からβｗ（７）の値を保存する。
【０１６９】
第五のステップ（Ｓｔｅｐ４−５）により第二の波長のレーザーを照射し、第六のステップ（Ｓｔｅｐ４−６）で、第二の波長のレーザーにより再生された各段階に対応した特徴量としてアシンメトリβｒ（０）からβｒ（７）の値を取得して、例えば光ディスク装置（ドライブ）に設けられている図示しないメモリ内に、保存する。
【０１７０】
第七のステップ（Ｓｔｅｐ４−７）では、始めに設定したＯＰＣ目標値βｒ＿Ｔａｒｇｅｔとβｒ（０）からβｒ（７）を比較し、βｒ（０）からβｒ（７）のうちβｒ＿Ｔａｒｇｅｔと最も近いものを決定する。
【０１７１】
ここで、βｒ（３）がβｒ＿Ｔａｒｇｅｔに最も近かったと（仮定）する。この場合、実際の最適記録波形設定値として、βｒ（３）に対応したＰｐ（３）を選択する。また、第一の波長のレーザーのための更新されたＯＰＣ目標値として、βｗ（３）が選択される。さらに精度を上げるために、各測定結果を直線補完して値を決定しても良い。例えば、βｒ＿Ｔａｒｇｅｔと（３×βｒ（２）＋２×βｒ（３））／５が一致した場合、実際の最適記録波形設定値として、（３×Ｐｐ（２）＋２×Ｐｐ（３））／５が選択され、更新されたＯＰＣ目標値βｗ＿ＮｅｗＴとして（３×βｗ（２）＋２×βｗ（３））／５が選択される。
【０１７２】
次に、第一の特徴量及び第二の特徴量として、複数種類の特徴量を使用する場合について説明を行う。
【０１７３】
ここで、特徴量としてアシンメトリβｗ、変調度変化量γｒ、第三のステップで変化させる記録波形設定値として記録パワーＰｐ［ｍＷ］を用いるとする。まず、第一のステップで、情報記録媒体から読み出した第二波長用のＯＰＣ目標値、変調度変化量γｒ＿ＴａｒｇｅｔをＯＰＣ目標値として決定する。
【０１７４】
さらに、情報記録媒体から比率Ｋｒを読み出す。
【０１７５】
既に説明した通り、第三のステップでは、記録パワーＰｐをＰｐ（０）からＰｐ（７）までの８段階に変化させてテストデータの記録を行っており、第四のステップにおいて再生されたデータとして、各段階に対応した特徴量としてアシンメトリβｗ（０）からβｗ（７）の値を保存する。
【０１７６】
第六のステップでは、各段階に対応した特徴量として変調度変化量γｒ（０）からγｒ（７）の値を保存する。
【０１７７】
第七のステップでは、始めに設定したＯＰＣ目標値γｒ＿Ｔａｒｇｅｔとγｒ（０）からγｒ（７）を比較し、γｒ（０）からγｒ（７）のうちγｒ＿Ｔａｒｇｅｔと最も近いものを決定する。ここで、γｒ（３）がγｒ＿Ｔａｒｇｅｔに最も近かったとする。この場合、実際の最適記録波形設定値として、γｒ（３）に対応したＰｐ（３）に比率ＫｒをかけたＰｐ（３）×Ｋｒを選択する。
【０１７８】
さらに、Ｐｐ（０）からＰｐ（７）のうちで、最もＰｐ（３）×Ｋｒに近いものを選択する。ここで、６段階目であるＰｐ（６）が最も近い値であった場合、第一の波長のレーザーのための更新されたＯＰＣ目標値として、同じく６段階目であるβｗ（６）が選択される。
【０１７９】
＜＜ＲＯＰＣ目標値の決定方法＞＞    
次に、ＲＯＰＣ動作について説明を行う。
【０１８０】
図２１に、ＲＯＰＣ動作のフローを示す。
【０１８１】
第一のステップ（Ｓｔｅｐ５−１）では、まずユーザーデータの記録を停止する。
【０１８２】
第二のステップ（Ｓｔｅｐ５−２）で、直前に記録されたユーザーデータの再生を実施する。このとき、情報記録媒体に照射しているレーザーの切り替えは行っていないので、再生ではあるものの、記録用の第一の波長で実施される。
【０１８３】
第三のステップ（Ｓｔｅｐ５−３）では、再生した信号から第一の特徴量を算出する。
【０１８４】
第四のステップ（Ｓｔｅｐ５−４）では、第三のステップで算出された第一の特徴量とあらかじめ設定されているＯＰＣ目標値、もしくは更新されたＯＰＣ目標値とを比較し、その差が所定量以下であるか、否かを判定する。
【０１８５】
差が所定量以下であった場合には、第八のステップ（Ｓｔｅｐ５−８）に移行し、ユーザーデータの記録を再開し、ＲＯＰＣは終了となる。
【０１８６】
差が所定量より大きい場合、処理は第五のステップ（Ｓｔｅｐ５−５）に移行する。
【０１８７】
第五のステップでは、第三のステップで算出された第一の特徴量とあらかじめ設定されているＯＰＣ目標値、もしくは更新されたＯＰＣ目標値との差から記録波形設定の補正量を決定し、記録波形の設定を決定した補正量に従って変更する。
【０１８８】
第六のステップ（Ｓｔｅｐ５−６）では、第一のステップから第五のステップまでの繰り返し回数を算出し、繰り返し回数が所定の数を上回っていた場合には、第八のステップに移行し、ＲＯＰＣは終了となる。所定の数以下の場合には、第七のステップ（Ｓｔｅｐ５−７）に移行する。
【０１８９】
第七のステップでは、再び情報記録媒体に対してユーザーデータの記録を再開する。第九のステップ（Ｓｔｅｐ５−９）では第七のステップで再開されたユーザーデータの記録が所定量行われたか否かを判定する。
【０１９０】
すなわち、所定量行われていた場合には、第一のステップに移行する。所定量に達していない場合、引き続きユーザーデータの記録を実施する。
【０１９１】
次に、特徴量の具体例を挙げて、上述のフローの詳細な例を説明する。ここで、特徴量としてアシンメトリβｗ、第六のステップで補正する記録波形設定値として記録パワーＰｐ［ｍＷ］を用いるとする。
【０１９２】
第三のステップでは、第一の特徴量として、βｗ（Ｕ）が算出される。
【０１９３】
また、第四のステップで比較のために用いられる値は、前述のＯＰＣ動作で決定したβｗ＿ＮｅｗＴを用いる。ここで、βｗ＿ＮｅｗＴに対してβｗ（Ｕ）が所定量より小さかった場合、情報記録媒体の特徴であるβと記録パワーＰｐ［ｍＷ］の関係が例えば図１７に示すような関係であれば、第六のステップにおいて記録パワーＰｐを一段階高いパワーに補正する。
【０１９４】
＜＜光ディスク装置による記録波形の最適化：記録専用装置＞＞    
次に、図２２を参照して、図９に示すような第一の波長のレーザーの照射のみが可能な記録専用の装置でＯＰＣ動作を行う場合について説明を行う。
【０１９５】
第一のステップ（Ｓｔｅｐ６−１）で初期条件の設定を行う。記録波形設定値及びＯＰＣ目標値の初期条件は、情報記録媒体のランドプリピット情報、もしくは物理フォーマット情報から読み出した設定値を利用するか、ディスクから読み出したディスクＩＤと一致する情報が光ディスク装置内のメモリ存在する場合には、光ディスク装置内のメモリに保存された記録波形設定値及びＯＰＣ目標値を使用する。
【０１９６】
第二のステップ（Ｓｔｅｐ６−２）では、情報記録媒体に照射するレーザーを第一の波長のレーザーに設定する。
【０１９７】
第三のステップ（Ｓｔｅｐ６−３）では、第一のステップで設定した初期条件を中心に記録波形の設定を複数の段階に変化させながら、テストデータを情報記録媒体のテスト領域に所定量記録する。
【０１９８】
第四のステップ（Ｓｔｅｐ６−４）では、記録したテストデータを第三のステップで記録波形の設定を変化させた段階毎に再生し、第一の特徴量として光ディスク装置内のメモリに保存する。このとき、あわせてその段階の記録波形の設定値も保存する。
【０１９９】
第五のステップ（Ｓｔｅｐ６−５）では、第一のステップで設定したＯＰＣ目標値の初期条件と第四のステップで保存した複数の段階の記録波形の設定値に対応した第一の特徴量を比較する。そして、目標値と特徴量が一致する、もしくは最も近いと判定される段階を検索し、その記録波形設定値を実際の最適記録波形設定値として決定する。また、この実際の最適記録波形設定として採用された設定値に対応した第一の特徴量は更新されたＯＰＣ目標値として採用される。
【０２００】
この更新されたＯＰＣ目標値は、その後のＲＯＰＣ動作に用いられる。これでＯＰＣ動作が完了となる。
【０２０１】
引き続きユーザーデータ等の情報を情報記録媒体に記録する場合には、ここで決定された実際の最適記録波形設定値を用いる。なお、ＯＰＣという表現は一般にはレベル方向のパワー調整の意味で用いられることが多いが、本説明では、時間方向の調整も含めることとする。
【０２０２】
このように、本発明の情報記録媒体では、第一の波長のレーザー光で情報の書き込みを行い、これとは異なる種類の波長のレーザー光で情報の読み出しを行う場合の、情報記録条件”が最適化できる。すなわち、情報記録媒体に記録した（テスト）情報を、予め２種類の波長のレーザーで再生し、その再生信号から検出される特徴量の比較によって、記録条件最適化の目標値を決定し、情報の書き込みの際には書き込みを行う波長のレーザー光で同時に再生を行い、再生信号と目標値との比較によって記録条件を最適化することができる。
【０２０３】
また、本発明の手順では、情報の書き込み前に、記録に用いるレーザー光の波長と再生に用いるレーザー光の波長が異なる２つの種類の波長のレーザーによる信号の再生と目標値の決定を行うことで、情報の書き込み時には１種類の波長による再生信号の情報のみで記録条件の最適化が可能となる。
【０２０４】
さらに、記録に用いるレーザー光の波長と再生に用いるレーザー光の波長が異なる記録媒体に情報を記録する際に、２種類の波長のレーザー光を頻繁に切り替えたり、同時に照射したりすることによる記録装置の負担を大幅に軽減することが可能となる。
【０２０５】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０２０６】
【図１】この発明の一実施形態が適用される記録媒体の記録領域の構造の一例を説明する概略図。
【図２】この発明の一実施形態が適用される記録媒体の記録領域の断面構造の一例を説明する概略図。
【図３】図１及び図２に示した記録媒体のプリグルーブ寸法及びランドプリピット寸法と記録光の波長との関係について説明する概略図。
【図４】図１及び図２に示した記録媒体の情報記録層のレイアウトの一例を説明する概略図。
【図５】図４に示した情報記録層のリードイン領域の構成の一例を説明する概略図。
【図６】図４に示した情報記録層のリードイン領域に記録される情報の一例を説明する概略図。
【図７Ａ】図４に示した情報記録層のリードイン領域に記録される情報の一例を説明する概略図。
【図７Ｂ】図７Ａに引き続く、図４に示した情報記録層のリードイン領域に記録される情報の一例を説明する概略図。
【図８】この発明の一実施形態が適用されるディスクドライブ装置（光ディスク装置）の機能ブロックの一例を説明する概略図。
【図９】この発明の一実施形態が適用されるディスクドライブ装置（光ディスク装置）の機能ブロックの一例を説明する概略図。
【図１０】この発明の一実施形態が適用される記録媒体からの再生信号の波形の一例を説明する概略図。
【図１１】この発明の一実施形態が適用される記録媒体からの再生信号の波形の一例を説明する概略図。
【図１２】この発明の一実施形態が適用される記録媒体への情報の記録および記録波形の形状の一例を説明する概略図。
【図１３】この発明の一実施形態が適用される記録媒体への情報の記録に用いられる記録波形設定情報を決定するためのフローの一例を説明するフローチャート。
【図１４】図１３に示したフローにより得られるテストデータの再生結果に基づいて規定される信号品位情報（エラーレート／ジッタ）の一例を説明する概略図。
【図１５】図１及び図２に示した記録媒体に適用されるＯＰＣ（Optimum power control）のための目標値を決定する手法の一例を説明するフローチャート。
【図１６】図１及び図２に示した記録媒体に適用されるＯＰＣのための目標値を決定する手法の（別の）一例を説明するフローチャート。
【図１７】図１５または図１６に示したフローにより得られるテストデータの再生結果に基づいて規定される信号品位情報（アシンメトリ）の一例を説明する概略図。
【図１８】図１５または図１６に示したフローにより得られるテストデータの再生結果に基づいて規定される信号品位情報（変調度／変調度（振幅）変化量）の一例を説明する概略図。
【図１９】この発明の一実施形態が適用されるディスクドライブ装置（光ディスク装置）を用いて記録媒体に情報を記録する際の手法の一例を説明するフローチャート。
【図２０】図１及び図２に示した記録媒体に適用されるＯＰＣのための目標値を決定する手法の一例（ディスクドライブ装置が記録・再生共用タイプである場合）を説明するフローチャート。
【図２１】図２０に示したＯＰＣと併用されるＲＯＰＣ（Runing Optimum Power Control）ための目標値を決定する手法の一例（ディスクドライブ装置が記録・再生共用タイプである場合）を説明するフローチャート。
【図２２】図２０に示した記録媒体に適用されるＯＰＣのための目標値を決定する手法の（別の）一例（ディスクドライブ装置が記録専用タイプである場合）を説明するフローチャート。
【符号の説明】
【０２０７】
１０１…透明基板、１０２…光反射層、１０３…記録層、１０５…記録マーク、１０７…プリグルーブ、１０８…ランドプリピット、１０９…ランド、５０１，６０１，７０１…ディスクドライブ装置（光ディスク装置）、５１１，６１１，７１１…ＰＵＨ（光ヘッド）、５１２，６１２，７１２…ＬＤ駆動回路、５１３，６１３，７１３…記録再生波形発生回路、５１４，６１４，７１４…プリアンプ、５１５，６１５，７１５…信号処理回路、５１６，６１６，７１６…制御部、１００１，Ｄ…光ディスク、１００３…クランプ孔、１００５…リードイン領域、１００７…データ領域、１００９…リードアウト領域。
【図１】
2008217853.tif 000003
【図２】
2008217853.tif 000004
【図３】
2008217853.tif 000005
【図４】
2008217853.tif 000006
【図５】
2008217853.tif 000007
【図６】
2008217853.tif 000008
【図７Ａ】
2008217853.tif 000009
【図７Ｂ】
2008217853.tif 000010
【図８】
2008217853.tif 000011
【図９】
2008217853.tif 000012
【図１０】
2008217853.tif 000013
【図１１】
2008217853.tif 000014
【図１２】
2008217853.tif 000015
【図１３】
2008217853.tif 000016
【図１４】
2008217853.tif 000017
【図１５】
2008217853.tif 000018
【図１６】
2008217853.tif 000019
【図１７】
2008217853.tif 000020
【図１８】
2008217853.tif 000021
【図１９】
2008217853.tif 000022
【図２０】
2008217853.tif 000023
【図２１】
2008217853.tif 000024
【図２２】
2008217853.tif 000025